(57)【特許請求の範囲】
【請求項１】
少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に前記第１ヒンジピンとは異なる位置に軸架させた受圧ピンと、この受圧ピンにカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする、原稿圧着板開閉装置。
【請求項２】
少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に前記第１ヒンジピンとは異なる位置に回転可能に軸架させたローラーと、このローラーにカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする、原稿圧着板開閉装置。
【請求項３】
少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に取り付けたカム部材と、このカム部材にカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする、原稿圧着板開閉装置。
【請求項４】
少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着されたリフト部材と、前記取付部材側の両側板間に前記第１ヒンジピンとは異なる位置に揺動可能に支承させたスプリング受け部材と、このスプリング受け部材と前記リフト部材との間に弾設させさせることにより、前記リフト部材を支持部材と重なり合う方向へ回動附勢させつつ前記支持部材を少なくとも原稿圧着板の開成方向へ附勢させるコイルスプリングとから成り、このコイルスプリングを予め屈曲させて成ることを特徴とする、原稿圧着板開閉装置。
【請求項５】
コイルスプリングを予めリフト部材の回動方向へ屈曲させるに当り、該コイルスプリングの一端部を傾斜させて設けた前記リフト部材の頂板へ当接させることを特徴とする、請求項１乃至４のいずれかに記載の原稿圧着板開閉装置。
【請求項６】
コイルスプリングを予めリフト部材の回動方向へ屈曲させるに当り、該コイルスプリングの一端部を前記リフト部材の頂板側に取り付けた上部スプリング受け部材の傾斜部に当接させることを特徴とする、請求項１乃至４のいずれかに記載の原稿圧着板開閉装置。
【発明の詳細な説明】
【０００１】
【発明の属する技術分野】
この発明は、複写機や印刷機等の原稿圧着板の開閉用として用いて好適な、原稿圧着板開閉装置に関する。
【０００２】
【従来の技術】
従来、取付ベースとこの取付ベースの両側より立ち上げた両側板を有し、該取付ベースを装置本体側へ取り付ける取付部材と、背板とこの背板より折り曲げた頂板と両側板を有し、この両側板を取付部材の両側板へヒンジピンを介して回動可能に取り付けた支持部材と、前記取付部材の両側板のヒンジピンとは離れた位置と前記支持部材の自由端側との位置にスプリング受け部材を介して弾設されたコイルスプリングと、前記支持部材の自由端側に支持部材の回動方向とは逆方向へ回動するように軸着された原稿圧着板の後部を取り付けるリフト部材とから成り、前記コイルスプリングの支持部材側のスプリング受け部材をリフト部材の軸支位置とは異なる位置に取り付けた作動部材に当接させた原稿圧着板開閉装置が公知である。
【０００３】
【発明が解決しようとする課題】
上述した公知の原稿圧着板開閉装置は、支持部材側のスプリング受け部材やこのスプリング受け部材に当接させる作動部材等の部材を必要とし、製作コストが高くなるという問題があった。
【０００４】
【発明が解決しようとする課題】
この発明は、上述した従来技術の問題点に鑑みなされたもので、その目的とするところは、従来のものよりも部品点数を省略できる構造簡単でしかも操作性の良いリフト機能付きの原稿圧着板開閉装置を提供せんとするにある。
【０００５】
【課題を解決するための手段】
上述した目的を完成するためにこの発明は、少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に前記第１ヒンジピンとは異なる位置に軸架させた受圧ピンと、この受圧ピンにカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする。
【０００６】
この発明はまた、少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に前記第１ヒンジピンとは異なる位置に回転可能に軸架させたローラーと、このローラーにカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする。
【０００７】
この発明はさらに、少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着したリフト部材と、前記取付部材側の両側板間に取り付けたカム部材と、このカム部材にカム部を当接させて前記支持部材内部に摺動可能に収装されたカムスライダーと、このカムスライダーと前記リフト部材との間に弾設させることにより、前記リフト部材を支持部材と重なり合う方向へ回動附勢させつつ前記支持部材を少なくとも原稿圧着板の開成方向へ附勢させるコイルスプリングとから成り、このコイルスプリングを予め前記リフト部材の回動方向へ屈曲させて成ることを特徴とする。
【０００８】
そしてこの発明は、少なくとも取付ベースとこの取付ベースの両側より立ち上げた両側板を有し、前記取付ベースを装置本体側へ取り付ける取付部材と、少なくとも背板とこの背板より折り曲げた両側板を有し、この両側板を前記取付部材の両側板へ第１ヒンジピンを介して回動可能に連結した支持部材と、原稿圧着板を取り付ける背板とこの背板より折り曲げた両側板と頂板を有し、前記支持部材の両側板の自由端側に第２ヒンジピンを介して該支持部材とは異なる方向へその両側板を回動可能となるように軸着されたリフト部材と、前記取付部材側の両側板間に前記第１ヒンジピンとは異なる位置に揺動可能に支承させたスプリング受け部材と、このスプリング受け部材と前記リフト部材との間に弾設させさせることにより、前記リフト部材を支持部材と重なり合う方向へ回動附勢させつつ前記支持部材を少なくとも原稿圧着板の開成方向へ附勢させるコイルスプリングとから成り、このコイルスプリングを予め屈曲させて成ることを特徴とする。
【０００９】
上記いずれの場合にもこの発明においては、コイルスプリングを予めリフト部材の回動方向へ屈曲させるに当り、該コイルスプリングの一端部を傾斜させて設けた前記リフト部材の頂板へ当接させたり、或はコイルスプリングの一端部を前記リフト部材の頂板側に取り付けた上部スプリング受け部材の傾斜部に当接させることができる。
【００１０】
【発明の実施の形態】
図面はこの発明の一実施の形態を示す。図１乃至図７において、１は取付ベース１ａとこの取付ベース１ａの両側より立ち上げた両側板１ｂ，１ｂを有する金属板製の取付部材であり、取付ベース１ａを想像線で示した複写機や印刷機等の装置本体Ａ上に取り付けている。３は背板３ａとこの背板３ａより折り曲げた両側板３ｂ，３ｂを有し、両側板３ｂ，３ｂの一端部側を取付部材１の両側板１ｂ，１ｂへ第１ヒンジピン２を介して、回動可能に連結させて成る金属板製の支持部材である。４は背板４ａとこの背板４ａより折り曲げた両側板４ｂ，４ｂと頂板４ｃを有するリフト部材であり、このリフト部材４はその両側板４ｂ，４ｂを支持部材３の両側板３ｂ，３ｂの自由端側に第２ヒンジピン１０を介して、支持部材３とは反対方向へ回動可能となるように枢支されている。
リフト部材４の背板４ａにはこれも想像線で示した原稿圧着板Ｂの後部が取り付けられている。リフト部材４の頂板４ｃは背板４ａに対して余角をもって折り曲げられることによって傾斜しており、その両端部より突設した突片４ｄ，４ｄを両側板４ｂ，４ｂに設けた係止孔４ｅ，４ｅ（一方のみ表示）と係合させている。支持部材３の両側板３ｂ，３ｂが取付部材１の両側板１ｂ，１ｂへ第１ヒンジピン２によって枢支される部分には、ひょうたん形状の枢支孔３ｃ，３ｃ（一方のみ表示）が設けられ、支持部材３の第１ヒンジピン２に対する着脱が可能な構成となっている。尚、第１ヒンジピン２が取付部材１の両側板１ｂ，１ｂ間に支持される部分には、例えばＰＯＭのような合成樹脂製の非導電性材料から成る軸受部材５，６がそれら自身が非回転となるように取り付けられており、第１ヒンジピン２はこれらの軸受部材５，６の軸受孔５ａ，６ａへ挿入支持されている。軸受部材５，６はそれぞれ断面略口型形状の取付部５ｂ，６ｂを有し、取付部材１の両側板１ｂ，１ｂに設けた口型形状の取付孔１ｃ，１ｃへ挿入固定されている。尚、軸受孔５ａ，６ａの形状、軸受部材５，６の取付部５ｂ，６ｂの形状等に限定はなく、実施の形態のものに限定されない。それは三角形状、四角形状、五角形状、小判形状等さまざまなものが考えられる。また、軸受部材の材料も、ＰＯＭに限定されない。それは他にはセラミックその他の非電導性材料、或は金属製の導電性材料等のものが適宜必要に応じて用いられる。そして、取付部材１の両側板の１ｂ，１ｂの一方と、支持部材３の両側板３ｂ，３ｂの一方の、第１ヒンジピン２による互いの連結個所の部分には、ヒンジピン２及び軸受部材５に環巻させてコイルスプリング状の導電部材１２が設けられ、取付部材１と支持部材３の間の電気的な導通性を維持している。
【００１１】
取付部材１の両側板１ｂ，１ｂの間にはさらに、第１ヒンジピン２を取り付けた位置とは異なる位置（つまりここでは前方位置）に受圧ピン７が非回転に軸架されている。
【００１２】
支持部材３は、上述したように背板３ａの両側板３ｂ，３ｂの他に、拘持部３ｄ，３ｄ（一方のみ表示）を有し、内部にカムスライダー８を摺動可能に収装させており、カムスライダー８の傾斜したカム部８ａは受圧ピン７と当接している。
【００１３】
カムスライダー８とリフト部材４の傾斜した頂板４ｃとの間には、コイルスプリング９が予めリフト部材４の回動方向へ屈曲されつつ弾設され、カムスライダー８を受圧ピン７へ圧接させると共に、リフト部材４が支持部材３と重なり合う方向へ回動附勢させ、さらにカムスライダー８とリフト部材４を介して支持部材３を原稿圧着板Ｂを開成方向へ附勢させ、或は所定の閉成角度からは閉成方向へ附勢させている。
【００１４】
尚、コイルスプリング９を予め屈曲させつつ収装させる手段としては、頂板４ｃを傾斜させることなく、この頂板４ｃにコイルスプリング９側に向けて傾斜をつけたスプリング受け部材を取り付けるものが考えられる。このように構成すると、スプリング受け部材でコイルスプリング９の屈曲側端部を固定させることによりコイルスプリング９の屈曲側端部をよりしっかりと頂板４ｃ側へ固定させることができる利点がある。
【００１５】
今、図１と図２に示したように、原稿圧着板を閉じた状態においては、コイルスプリング９の作用線は、受圧ピン７の軸芯と一致していることから、支持部材３は原稿圧着板Ｂの開閉いずれの方向にも回動を附勢されておらず、原稿圧着板Ｂは安定した閉成状態を保っている。尚、ここのところは、コイルスプリング９の作用線を受圧ピン７の下方へずらすことにより、或はカムスライダー８の傾斜したカム部８ａの形状を変えることにより、原稿圧着板Ｂの開成方向へ附勢させることもできる。
【００１６】
この図１と図２に示した状態から原稿圧着板Ｂを開くと、支持部材３がリフト部材４と共に回動しカムスライダー８の傾斜したカム部８ａの受圧ピン７に対する当接位置が高い方から低い方へ摺動移動することから、リフト部材４を介して支持部材３を原稿圧着板Ｂの開成方向へ附勢させている。コイルスプリング９の弾力により原稿圧着板Ｂは、その本来の重量を減殺された状態で開かれる。
【００１７】
開いた原稿圧着板Ｂより手を離すと、受圧ピン７がコイルスプリング９によって一方向へ摺動を附勢されているカムスライダー８の傾斜したカム部８ａを登る際の抵抗に遭遇することにより、原稿圧着板Ｂが支持部材３を介して第１ヒンジピン２の周りに発生させる回転モーメントと、コイルスプリング９の弾力と、受圧ピン７に当接しているカムスライダー８のカム部８ａに対する当接位置とによって創出される回転トルクが均衡する。実施の形態のものは原稿圧着板Ｂの３０°以上の開成角度で、原稿圧着板Ｂを安定停止保持する。
原稿圧着板Ｂを閉じる際には、慣性による勢いがつくが、カムスライダー８のカム部８ａと受圧ピン７による制御と、カムスライダー８によって圧縮されるコイルスプリング９の弾力とにより支持部材３の回転は制御され、原稿圧着板Ｂが急激に閉じられるのを防止するものである。
【００１８】
原稿が本のように厚い厚物原稿の場合には、原稿圧着板Ｂを閉じると、該原稿圧着板Ｂに本の端部が当るので、さらに下押しすると、原稿圧着板Ｂは第２ヒンジピン１０を支点にコイルスプリング９の弾力に抗して反転し、図７に示したように厚物原稿Ｃの上面に水平状態となる。この際にコイルスプリング９を予め屈曲させておくと、このリフト操作時の屈曲が少なくなることから、スムーズなリフト操作を行うこことができるものである。リフトされた原稿圧着板Ｂは、厚物原稿Ｃをコンタクトガラス上より取り去るか、或はもう一度開くことにより、リフト部材４の頂板４ｃを押して該リフト部材４が支持部材３と重なり合う方向へ押圧しているコイルスプリング９の弾力により元の位置に戻るものである。
【００１９】
図８は図１乃至図７に示した原稿圧着板開閉装置の他の実施の形態を示し、受圧ピンとカムスライダーに代えてスプリング受け部材２０を取付部材１の両側板間１ｂ，１ｂに支持ピン２１を介して揺動可能に支承させたものであり、コイルスプリング９はこのコイルスプリング受け部材２０とリフト部材４の傾斜させた頂板４ｃとの間に予めリフト部材４の回動方向へ屈曲させて弾設されている。
【００２０】
本願発明に係る図１乃至図７に示した原稿圧着板開閉装置は、このようなタイプのものにも適用できるものである。
【００２１】
さらに本願に係る発明は、受圧ピンのところに図９に示したようにカムスライダー８のカム部８ａと当接するローラ２２の支軸２３を取付部材１の両側板１ｂ，１ｂ間に取り付けたものにも適用でき、図１０に示したように、受圧ピンやローラの代りに、カム部材２４を取付部材１の両側板１ｂ，１ｂ間に取り付け、このカム部材のカム面をカムスライダー８のカム部８ａに当接させたものにも適用できるものである。
【００２２】
さらに本願発明に係るものは、リフト部材４の頂板４ｃ側に上部スプリング受け部材を取り付けたものにも適用できるものである。
【００２３】
【発明の効果】
この発明は以上のように構成したので、次のような効果を奏し得る。
【００２４】
請求項１のように構成すると、部品点数を省略した簡単な構成で製作コストを大幅に下げることができた上で、厚物原稿に対処してリフト部材を反転させて原稿圧着板を水平状態にして厚物原稿上面を覆うことができるものであり、さらに予めコイルスプリングを屈曲させておくことにより、厚物原稿に対処する際のリフト部材の反転操作をスムーズに行うことができるという効果を奏し得る。
【００２５】
さらに、取付部材側にその両側板間に取り付けたカム部材を省略して、受圧ピンとしたので、潤滑用のオイルが付着したカム部材のカム面がコンタクトガラスの方向へ露出するのを防止できて、コンタクトガラス上へ載置した原稿の端部がオイルの付着したカム部材に当接して汚れるのを防止することができるものである。
【００２６】
請求項２のように構成すると、ローラー分だけ請求項１のものに較べて部品点数が多くなるが、それでも従来のものに較べて部品点数を省略した簡単な構成で製作コストを大幅に下げることができた上で、厚物原稿に対処してリフト部材を反転させて原稿圧着板を水平状態にして厚物原稿上面を覆うことができるものであり、さらに予めコイルスプリングを屈曲させておくことにより、厚物原稿に対処する際のリフト部材の反転操作をスムーズに行うことができるという効果を奏し得る。
【００２７】
さらに、取付部材側にその両側板間に取り付けたカム部材を省略して、ローラーとしたので、潤滑用のオイルをカムスライダーとローラーのどちらにも用いなくても良いことから、コンタクトガラス上へ載置した原稿の端部がオイルで汚れるのを確実に防止することができるものである。
【００２８】
請求項３のように構成すると、カム部材の分だけ部品点数は多くなるが、それでも従来のものよりも部品点数を省略した簡単な構成で製作コストを下げることができた上で、厚物原稿に対処してリフト部材を反転させて原稿圧着板を水平状態にして厚物原稿上面を覆うことができるものであり、さらに予めコイルスプリングを屈曲させておくことにより、厚物原稿に対処する際のリフト部材の反転操作をスムーズに行うことができるという効果を奏し得る。
【００２９】
請求項４のように構成すると、部品点数を省略した簡単な構成で製作コストを大幅に下げることができた上で、厚物原稿に対処してリフト部材を反転させて原稿圧着板を水平状態にして厚物原稿上面を覆うことができるものであり、さらに予めコイルスプリングを屈曲させておくことにより、厚物原稿に対処する際のリフト部材の反転操作をスムーズに行うことができるという効果を奏し得る。
【００３０】
さらに、取付部材側にその両側板間に取り付けたカム部材を省略して、スプリング受け部材としたので、潤滑用のオイルが付着したカム部材のカム部材のカム面がコンタクトガラスの方向へ露出するのを防止できて、コンタクトガラス上へ載置した原稿の端部がオイルの付着したカム部材に当接して汚れるのを確実に防止することができるものである。
【００３１】
請求項５のように構成すると、各請求項１〜４と同じ効果を奏した上で、構成部品を省略できるという効果を奏し得る。
【００３２】
請求項６のように構成すると、各請求項１〜４と同じ効果を奏した上で、コイルスプリングの位置ズレを防止できるという効果を奏し得る。
【図面の簡単な説明】
【図１】この発明に係る原稿圧着板開閉装置の側面図である。
【図２】図１に示した原稿圧着板開閉装置の側断面図である。
【図３】図１の状態から原稿圧着板を開いて見た側断面図である。
【図４】リフト部材の正面図である。
【図５】導電部材の部分の拡大平面図である。
【図６】軸受部材の斜視図である。
【図７】原稿が厚物原稿の場合の使用例を示す側断面図である。
【図８】この発明に係る原稿圧着板開閉装置の他の実施の形態を示す側断面図である。
【図９】この発明に係る原稿圧着板開閉装置のさらに他の実施の形態を示す側断面図である。
【図１０】この発明に係る原稿圧着板開閉装置のさらに他の実施の形態を示す側断面図である。
【符号の説明】
Ａ  装置本体
Ｂ  原稿圧着板
Ｃ  厚物原稿
１  取付部材
１ａ  取付ベース
１ｂ  両側板
２  第１ヒンジピン
３  支持部材
３ａ  背板
３ｂ  両側板
４  リフト部材
４ａ  背板
４ｂ  両側板
４ｃ  頂板
７  受圧ピン
８  カムスライダー
８ａ  カム部
９  コイルスプリング
１０  第２ヒンジピン
２０  スプリング受け部材
２２  ローラー
２４  カム部材
【図１】
0003727502.tif 000002
【図２】
0003727502.tif 000003
【図３】
0003727502.tif 000004
【図４】
0003727502.tif 000005
【図５】
0003727502.tif 000006
【図６】
0003727502.tif 000007
【図７】
0003727502.tif 000008
【図８】
0003727502.tif 000009
【図９】
0003727502.tif 000010
【図１０】
0003727502.tif 000011